(57)【特許請求の範囲】
【請求項１】
埋立処分場の上方空間を覆蓋にて覆うようにした埋立処分場への廃棄物の投入システムにおいて、前記埋立処分場の運搬車両の出入口通路に洗浄水を噴出するとともに、噴出した洗浄水を埋立処分場側に流すようにした埋立処分場への廃棄物の投入システムにおいて、運搬車両の後輪を支持する運搬車両支持床面を、洗浄水を流出させる通水可能な床面としたことを特徴とする埋立処分場への廃棄物の投入システム。
【請求項２】
洗浄水に防臭剤を添加するようにしたことを特徴とする請求項１記載の埋立処分場への廃棄物の投入システム。
【請求項３】
運搬車両の退出時に出入口通路に空気を噴出させ、運搬車両に付着した洗浄水を取り除くようにしたことを特徴とする請求項１又は２記載の埋立処分場への廃棄物の投入システム。
【発明の詳細な説明】
【０００１】
【発明の属する技術分野】
本発明は、埋立処分場への廃棄物の投入システムに関し、特に、運搬車両にて廃棄物を埋立処分場へ搬入し投入する運搬車両直接投入方式等において、廃棄物からの粉塵や臭気の拡散を防止するとともに、運搬車両に付着した粉塵や臭気、汚水を洗浄することができる埋立処分場への廃棄物の投入システムに関するものである。
【０００２】
【従来の技術】
従来、焼却灰や産業廃棄物などの廃棄物を処分するには、廃棄物をダンプトラックに積み込んで運搬し、埋立処分場に投入して埋立をする。
埋立処分場での投入は、ダンプトラックの荷台をダンプアップすることにより、廃棄物を荷台から埋め立て地や貯留ピット内へ滑り落とす。
この際、廃棄物が滑り落ちることにより、粉塵や臭気が運搬車両の出入口通路及び埋立処分場内に拡散し、また、受入時に出入口通路のドアを閉めなければ、これらの粉塵や臭気が外部に飛散するおそれがある。
【０００３】
【発明が解決しようとする課題】
本発明は、上記従来の埋立処分場への廃棄物の投入システムが有する問題に鑑み、埋立処分場に廃棄物が投入される際に発生する粉塵や臭気の拡散を防止するとともに、運搬車両に付着した粉塵や臭気、汚水を洗浄することができる埋立処分場への廃棄物の投入システムを提供することを目的とする。
【０００４】
【課題を解決するための手段】
上記目的を達成するため、本発明の埋立処分場への廃棄物の投入システムは、埋立処分場の上方空間を覆蓋にて覆うようにした埋立処分場への廃棄物の投入システムにおいて、前記埋立処分場の運搬車両の出入口通路に洗浄水を噴出するとともに、噴出した洗浄水を埋立処分場側に流すようにした埋立処分場への廃棄物の投入システムにおいて、運搬車両の後輪を支持する運搬車両支持床面を、洗浄水を流出させる通水可能な床面としたことを特徴とする。
【０００５】
この埋立処分場への廃棄物の投入システムは、埋立処分場の運搬車両の出入口通路に洗浄水を噴出するとともに、噴出した洗浄水を埋立処分場側に流すようにしたことから、埋立処分場に廃棄物が投入される際に発生する粉塵や臭気の拡散を防止するとともに、運搬車両に付着した粉塵や臭気、汚水を洗浄し、粉塵や臭気の外部への流出を防止することができる。
そして、運搬車両の後輪を支持する運搬車両支持床面を、洗浄水を流出させる通水可能な床面とすることにより、後輪に汚水が付着しにくいようにするとともに、洗浄水を後輪の下に流出させ、ダンプアップにより汚染されやすい後輪の洗浄を確実に行うことができる。
【０００６】
この場合において、洗浄水に防臭剤を添加することができる。
【０００７】
これにより、廃棄物や運搬車両からの臭気の発生を抑制することができる。
【０００８】
また、運搬車両の退出時に出入口通路に空気を噴出させ、運搬車両に付着した洗浄水を取り除くようにすることができる。
【０００９】
これにより、粉塵や臭気が洗浄水とともに運搬車両に残留することを防止することができる。
【００１０】
【発明の実施の形態】
以下、本発明の埋立処分場への廃棄物の投入システムの実施の形態を図面に基づいて説明する。
【００１１】
図１〜図２に、本発明の埋立処分場への廃棄物の投入システムの一実施例を示す。
この廃棄物の投入システムは、例えば、ごみ焼却施設で生成される焼却灰などの廃棄物を、ダンプトラックなどの運搬車両にて埋立処分場に投入する際に適用される。
埋立処分場としては、覆蓋により密封可能とした埋立処分場や、覆蓋した貯留ピット等の処分設備（図示省略）があり、このシステムは、このような埋立処分場への廃棄物の投入時や運搬車両の退出時において、廃棄物の臭気や粉塵が外部に流出して周囲に飛散しないようにするものである。
【００１２】
一般に、ごみ焼却施設で生成される焼却灰などの廃棄物は、腐敗性有機物質の焼却により分解し、安定した無機物質に変換されるが、該焼却灰には有害物質も含まれるため、搬送するダンプトラックなどの運搬車両Ｔには、積載する廃棄物が搬送時においても飛散しないようカバー等（図示省略）を配設するとともに、該廃棄物を搬入する埋立処分場Ｓ又は貯留ピット（図示省略）にも、図１〜図２に示すように、運搬車両Ｔの出入口通路Ｏを含む埋立処分場Ｓ全体を覆蓋６にて覆うように構成し、これにより投入する廃棄物の一部が粉塵として舞い上がり、周囲に飛散するのを防止するようにしている。
【００１３】
ところで、埋立処分場Ｓに運搬車両Ｔが出入りするための運搬車両Ｔの出入口通路Ｏは、運搬車両Ｔの後輪を支持する運搬車両支持床面１の下を掘り下げ、埋立処分場の傾斜面７に連続するように傾斜する傾斜底面２を形成するとともに、前記運搬車両支持床面１を通水可能に形成するようにしている。
運搬車両支持床面１を構成する床板３は、特に限定されるものではないが、例えば、金属製のメッシュ板、パンチング板等を配設してメッシュ状に構成されている。
なお、この出入口通路Ｏの幅は、運搬車両Ｔの幅より所要大きく設定されている。
運搬車両Ｔが搬入時に停車したとき、後輪が停止する部分に洗浄水が溜まるような構造であれば、汚水がタイヤに付着してしまう。そこで、上記のように構成することにより、溜まった汚水による後輪の汚染を防止することができる。
【００１４】
この運搬車両の出入口通路Ｏにおいては、運搬車両Ｔが出入する開口部が必然的に必要となるが、この運搬車両の出入口通路Ｏから、埋立処分場Ｓ内の粉塵や臭気が外部に流出するおそれがあった。
そこで、本実施例に埋立処分場Ｓにおいては、埋立処分場Ｓ内の粉塵や臭気が流出するため、より具体的には、埋立処分場Ｓに廃棄物が投入される際に発生する粉塵や臭気の拡散を防止するとともに、運搬車両Ｔに付着した粉塵や臭気、汚水を洗浄することができるように、この運搬車両Ｔの出入口通路Ｏの外側位置にエアー噴出装置４を、内側位置にシャワー装置５をそれぞれ配設するようにしている。
このエアー噴出装置４及びシャワー装置５の設置位置は、固定設置とするほか、例えば、埋立処分場Ｓの幅方向に可動設置とし、埋立処分場Ｓへの廃棄物の投入状況に合わせて、エアー噴出装置４及びシャワー装置５の設置位置を容易に変更して、運搬車両Ｔからの廃棄物の投入位置を変更することができるようにすることもできる。
【００１５】
エアー噴出装置４は、出入口通路Ｏの入り口に空気の流れを発生させ、覆蓋６から外部へ廃棄物の粉塵や臭気が流出することを防止するもので、覆蓋６の内側方向に空気の流れが発生するように噴出角度が設定されている。
また、エアー噴出装置４は、図１に示すように、出入口通路Ｏに進入してきた運搬車両の上面と左右両側面にエアーを噴出するように、エアーノズル（図示省略）を複数配設して構成されている。
なお、このエアーノズルは、運搬車両、特に荷台部分の上面及び左右両側面や車輪に付着する粉塵及びシャワー装置５による洗浄水を、噴出エアー圧にて飛散させて除去できるように、そのエアーノズルの設置数と噴出エアー圧とが予め設定されている。
この場合において、エアー噴出装置４のエアーノズルから噴出させる空気は、埋立処分場Ｓの覆蓋６内の空気を吸引して使用することにより、埋立処分場Ｓの覆蓋６内を負圧に維持し、埋立処分場Ｓ内の粉塵や臭気が流出することを防止することができるようにする。
そして、このエアー噴出装置４のエアーノズルから噴出した空気によりエアーカーテンを形成するようにし、これにより、運搬車両Ｔの出入口通路Ｏから、埋立処分場Ｓ内の粉塵や臭気が流出することを確実に防止することができるものとなる。
また、運搬車両Ｔを洗浄水で洗浄した後でも、運搬車両Ｔに付着している水の中には、微量ではあるが粉塵が含まれている。これを付着させたまま運搬車両Ｔが覆蓋６内から退出すると、外部に粉塵を出してしまうことになる。そこで、出入口通路Ｏの入り口に設置したエアーノズルから空気を噴出させることにより、運搬車両Ｔに付着した洗浄水を取り除くようにする。
【００１６】
一方、シャワー装置５は、エアー噴出装置４と同様に、運搬車両の荷台部分の上面及び左右両側面に付着する粉塵を洗浄にて除去できるように複数の洗浄水噴出ノズル（図示省略）を配設して構成されている。
この洗浄水噴出ノズルは、運搬車両の荷台長手方向に対して１段又は２段以上、例えば、図示のように４段設置し、運搬車両に付着する粉塵の洗浄をより確実に行えるようにしている。
なお、図示の実施例では、入り口側の２段のシャワー装置５を運搬車両Ｔの所定位置に対して対向するように配置し、奥側の２段のシャワー装置５を、運搬車両荷台後端より奥の出入口通路内を洗浄できるように配置している。
これにより、廃棄物の受入時に上部から洗浄水を噴出し、廃棄物を湿潤させて覆蓋６内での粉塵の発生を低下させることができる。なお、洗浄水の量や噴出時間は、廃棄物の湿潤状況に応じて変化させることができる。
【００１７】
一方、廃棄物を積み込む際に運搬車両Ｔの車体外部に粉塵が付着することも考えられ、また、運搬車両Ｔの上部から洗浄水を噴出すると、洗浄水は廃棄物と接触し、汚水となって運搬車両Ｔの荷台内部や車体外部に付着することが考えられる。
そこで、これらの汚水、付着した粉塵を埋め立て地内から持ち出さないように、出入口通路Ｏの側部からも洗浄水を噴出させて運搬車両Ｔを洗浄するようにする。
また、洗浄水に防臭剤を添加して洗浄することも可能であり、これにより、搬入された廃棄物からの臭気や、運搬車両Ｔに付着している臭気の低下を図ることができる。
【００１８】
次に、この廃棄物の埋立処分場Ｓへの搬入投入システムの動作について説明する。
廃棄物を積載したダンプトラックＴが、埋立処分地Ｓに到着すると、該ダンプトラックＴを後退で覆蓋６の出入口通路Ｏ内へ進入させ、図１に示すように、後輪がメッシュ構造に構成した運搬車両支持床面１上の定位置で停止させる。
このとき、エアーノズルより圧力エアーを噴出して運搬車両の出入口通路Ｏの口縁位置にエアー噴出装置４を形成する。
なお、このエアー噴出装置４は、運搬車両の進入如何に関わりなく常に稼働しておくこともできるし、さらに運搬車両の進入時には弱く、退出時には強くなるように可変的に可調的に設定することもできる。
【００１９】
次に、シャワー装置５の洗浄水噴出ノズルより高圧洗浄水又は防臭剤又は消臭剤を添加した洗浄水を噴出し、このシャワー状態でダンプトラックＴの荷台を傾斜させて積載している廃棄物を埋立処分場Ｓへ滑落するように投入する。
これにより、廃棄物が荷台より埋立処分場Ｓへ滑り落ちる際、廃棄物の一部が粉塵となって舞い上がろうとするが、廃棄物の上部より噴出されるシャワー水により強制的に湿潤させられるので、粉塵の舞い上がりが未然に防止されるとともに、余分の洗浄水は、運搬車両支持床面１の通水及び通気可能な床板３より下方へ落下させられ、傾斜底面２上を流下して埋立処分場Ｓへ投入廃棄物と共に導かれる。
また、廃棄物の埋立処分場Ｓへの投入が終了すると、このシャワー装置５によりダンプトラックＴの荷台の上面、左右両側面及び後輪も同時に洗浄される。
【００２０】
このように、積載していた廃棄物を埋立処分場Ｓへの投入が完了すると、エアーノズルより圧力エアーをより強く噴出するとともに、ダンプトラックＴを運搬車両の出入口通路Ｏより脱出するように移動させる。このとき、ダンプトラックＴにシャワーによる洗浄水が付着していても、エアーノズルより強く噴出される圧力エアーにて払拭されるようになって完全に除去される。
これにより、廃棄物の一部が粉塵となって周囲に拡散されることも、また廃棄物の臭気も確実に覆蓋６より外部に漏洩することなく、衛生的に、安全に処理することができる。
【００２１】
以上、本発明の廃棄物の埋立処分場Ｓへの搬入投入システムについて、その実施例に基づいて説明したが、本発明は上記実施例に記載した構成に限定されるものではなく、例えば、埋立処分場に直接投入する代わりに貯留ピット内へ廃棄物を投入する方式においても採用することができ、その趣旨を逸脱しない範囲において適宜その構成を変更することができるものである。
【００２２】
【発明の効果】
本発明の埋立処分場への廃棄物の投入システムによれば、埋立処分場の運搬車両の出入口通路に洗浄水を噴出するとともに、噴出した洗浄水を埋立処分場側に流すようにしたことから、埋立処分場に廃棄物が投入される際に発生する粉塵や臭気の拡散を防止するとともに、運搬車両に付着した粉塵や臭気、汚水を洗浄し、粉塵や臭気の外部への流出を防止することができ、簡易な設備によって、周囲の環境を汚染することがない、安全な埋立処分場を提供することができる。
そして、運搬車両の後輪を支持する運搬車両支持床面を、洗浄水を流出させる通水可能な床面とすることにより、後輪に汚水が付着しにくいようにするとともに、洗浄水を後輪の下に流出させ、ダンプアップにより汚染されやすい後輪の洗浄を確実に行うことができる。
【００２３】
また、洗浄水に防臭剤を添加することにより、廃棄物や運搬車両からの臭気の発生を抑制することができる。
【００２４】
また、運搬車両の退出時に出入口通路に空気を噴出させ、運搬車両に付着した洗浄水を取り除くことにより、粉塵や臭気が洗浄水とともに運搬車両に残留することを防止することができる。
【図面の簡単な説明】
【図１】  本発明の埋立処分場への廃棄物の投入システムの一実施例を示し、（Ａ）は運搬車両による廃棄物の投入時の正面図、（Ｂ）は同平面図である。
【図２】  同実施例の埋立処分場への廃棄物の投入システムを示し、（Ａ）は運搬車両の退出時の正面図、（Ｂ）は同平面図である。
【符号の説明】
Ｔ   運搬車両
Ｓ   埋立処分場
Ｏ   運搬車両の出入口通路
１   運搬車両支持床面
２   傾斜底面
３   床板
４   エアー噴出装置
５   シャワー装置
６   覆蓋
【図１】
0003940306.tif 000002
【図２】
0003940306.tif 000003